(57)【要約】【課題】医用画像データが表示されるまでの時間を短縮することを課題とする。【解決手段】複数の医用画像データを閲覧する順序として医学的に意味付けされた順序が設定された設定情報を、複数の医用画像データと該設定情報とが記憶された可搬媒体から読み出す。また、読み出された設定情報に設定された順序に従って、可搬媒体に記憶された複数の医用画像データを、該医用画像データの閲覧に用いられる端末の記憶部に複製する。また、複製が終了する前に、所定の医用画像データを出力部に出力することを指示する出力指示の受け付けを開始する。そして、所定の医用画像データの出力指示を受け付けると、該出力指示にて指定された医用画像データについて記憶部を検索し、検索した医用画像データを出力部に出力する。【選択図】        図１
2010170274.tif 000002
【特許請求の範囲】
【請求項１】
複数の医用画像データを閲覧する順序として医学的に意味付けされた順序が設定された設定情報を、複数の医用画像データと該設定情報とが記憶された可搬媒体から読み出す読出手順と、
前記読出手順によって読み出された設定情報に設定された順序に従って、前記可搬媒体に記憶された複数の医用画像データを該医用画像データの閲覧に用いられる端末の記憶部に複製する複製手順と、
前記複製手順による複製が終了する前に、所定の医用画像データを出力部に出力することを指示する出力指示の受け付けを開始する受付手順と、
前記受付手順によって所定の医用画像データの出力指示を受け付けると、該出力指示にて指定された医用画像データについて前記記憶部を検索し、検索した医用画像データを出力部に出力する出力手順と
をコンピュータに実行させることを特徴とする画像表示プログラム。
【請求項２】
前記医用画像データには、該医用画像データに撮像された被検体の属性情報が含まれるものであって、
前記複製手順は、前記医用画像データに含まれる前記属性情報を除くデータのみを前記記憶部に複製することを特徴とする請求項１に記載の画像表示プログラム。
【請求項３】
前記医用画像データには、該医用画像データに撮像された被検体の属性情報と該医用画像データを一意に識別する識別情報とが含まれるものであって、
前記複製手順は、前記医用画像データに含まれる前記属性情報を除くデータのみを前記記憶部に複製し、
前記出力手順は、前記出力指示にて指定された医用画像データについて前記記憶部を検索するとともに、検索した医用画像データに含まれる識別情報を用いて前記可搬媒体を検索し、該識別情報に対応付けて記憶されている属性情報を、前記記憶部から検索された医用画像データとともに出力部に出力することを特徴とする請求項１に記載の画像表示プログラム。
【請求項４】
医用画像データを可搬媒体に書き込む医用画像データ書込手段と、
複数の医用画像データを閲覧する順序として医学的に意味付けされた順序が設定された設定情報を、前記可搬媒体に書き込む設定情報書込手段と、
コンピュータに、前記設定情報を前記可搬媒体から読み出させ、該設定情報に設定された順序に従って前記可搬媒体に記憶された複数の医用画像データを該医用画像データの閲覧に用いられる端末の記憶部に複製させ、複製が終了する前に所定の医用画像データを出力部に出力することを指示する出力指示の受け付けを開始させ、出力指示を受け付けると該出力指示にて指定された医用画像データについて前記記憶部を検索させ、検索した医用画像データを出力部に出力させるプログラムを、前記可搬媒体に書き込むプログラム書込手段と
を備えたことを特徴とする医用画像診断装置。
【請求項５】
医用画像データを可搬媒体に書き込む医用画像データ書込手段と、
複数の医用画像データを閲覧する順序として医学的に意味付けされた順序が設定された設定情報を、前記可搬媒体に書き込む設定情報書込手段と、
コンピュータに、前記設定情報を前記可搬媒体から読み出させ、該設定情報に設定された順序に従って前記可搬媒体に記憶された複数の医用画像データを該医用画像データの閲覧に用いられる端末の記憶部に複製させ、複製が終了する前に所定の医用画像データを出力部に出力することを指示する出力指示の受け付けを開始させ、出力指示を受け付けると該出力指示にて指定された医用画像データについて前記記憶部を検索させ、検索した医用画像データを出力部に出力させるプログラムを、前記可搬媒体に書き込むプログラム書込手段と
を備えたことを特徴とする医用画像処理装置。
【発明の詳細な説明】
【技術分野】
【０００１】
本発明は、画像表示プログラム、医用画像診断装置および医用画像処理装置に関する。
【背景技術】
【０００２】
近年、患者の医用画像データを他の病院において利用することなどを目的として、医用画像診断装置によって収集された医用画像データをＣＤ（Compact  Disc）やＤＶＤ（Digital  Versatile  Disk）などの可搬媒体に記録することがある。また、医用画像データとともに医用画像データを表示するための画像表示用アプリケーションも可搬媒体に記録することが多い。すると、可搬媒体を受け取った他の病院の医師は、可搬媒体からデータを読み出す機能を有する汎用的な端末さえあれば、医用画像データを閲覧することができる。すなわち、汎用的な端末が、可搬媒体から画像表示用アプリケーションを読み出して起動し、該可搬媒体に記録されている医用画像データを読み出して表示するのである。
【０００３】
ここで、可搬媒体は一般的に低速アクセスの媒体であり、データの読み出しに時間を要してしまう。このため、従来、ＣＤに記録されているデータを端末の磁気ディスクに予め複製し、磁気ディスクに記録されたデータを読み出す技術がある。
【先行技術文献】
【特許文献】
【０００４】
【特許文献１】特開平７−１０５０６７号公報
【発明の概要】
【発明が解決しようとする課題】
【０００５】
しかしながら、上記した従来の技術では、以下に説明するように、医用画像データが表示されるまでの時間が長くなってしまうという課題があった。
【０００６】
医用画像データの閲覧においては、複数の医用画像データが閲覧されたり、今回の検査や過去の検査の医用画像データが往復して閲覧されたりするなど、同じ医用画像データが繰り返し表示されることが多い。可搬媒体から端末に読み出した医用画像データが端末のメモリ上に存在するうちは高速アクセスが可能であり、同じ医用画像データを繰り返し表示する際の時間も短くなる。しかしながら、一旦メモリ上から消えてしまった医用画像データを再度表示する際には、再び低速アクセスの可搬媒体から読み出さなければならず、時間を要してしまう。
【０００７】
そこで、可搬媒体に記録されている医用画像データを端末の磁気ディスクに予め複製することが考えられるが、この場合にも、複製自体に時間を要してしまい、医用画像データが表示されるまでの時間は長くなる。例えば、他の病院の医師が患者を診察しながら可搬媒体に記録された医用画像データを閲覧しようとしても、なかなか閲覧を開始できないことになってしまう。
【０００８】
本発明は、上記した従来の技術による課題を解決するためになされたものであり、医用画像データが表示されるまでの時間を短縮することが可能な画像表示プログラム、医用画像診断装置および医用画像処理装置を提供することを目的とする。
【課題を解決するための手段】
【０００９】
上記した課題を解決し、目的を達成するため、請求項１に記載の画像表示プログラムは、複数の医用画像データを閲覧する順序として医学的に意味付けされた順序が設定された設定情報を、複数の医用画像データと該設定情報とが記憶された可搬媒体から読み出す読出手順と、前記読出手順によって読み出された設定情報に設定された順序に従って、前記可搬媒体に記憶された複数の医用画像データを該医用画像データの閲覧に用いられる端末の記憶部に複製する複製手順と、前記複製手順による複製が終了する前に、所定の医用画像データを出力部に出力することを指示する出力指示の受け付けを開始する受付手順と、前記受付手順によって所定の医用画像データの出力指示を受け付けると、該出力指示にて指定された医用画像データについて前記記憶部を検索し、検索した医用画像データを出力部に出力する出力手順とをコンピュータに実行させることを特徴とする。
【００１０】
また、請求項４に記載の医用画像診断装置は、医用画像データを可搬媒体に書き込む医用画像データ書込手段と、複数の医用画像データを閲覧する順序として医学的に意味付けされた順序が設定された設定情報を、前記可搬媒体に書き込む設定情報書込手段と、コンピュータに、前記設定情報を前記可搬媒体から読み出させ、該設定情報に設定された順序に従って前記可搬媒体に記憶された複数の医用画像データを該医用画像データの閲覧に用いられる端末の記憶部に複製させ、複製が終了する前に所定の医用画像データを出力部に出力することを指示する出力指示の受け付けを開始させ、出力指示を受け付けると該出力指示にて指定された医用画像データについて前記記憶部を検索させ、検索した医用画像データを出力部に出力させるプログラムを、前記可搬媒体に書き込むプログラム書込手段とを備えたことを特徴とする。
【００１１】
また、請求項５に記載の医用画像処理装置は、医用画像データを可搬媒体に書き込む医用画像データ書込手段と、複数の医用画像データを閲覧する順序として医学的に意味付けされた順序が設定された設定情報を、前記可搬媒体に書き込む設定情報書込手段と、コンピュータに、前記設定情報を前記可搬媒体から読み出させ、該設定情報に設定された順序に従って前記可搬媒体に記憶された複数の医用画像データを該医用画像データの閲覧に用いられる端末の記憶部に複製させ、複製が終了する前に所定の医用画像データを出力部に出力することを指示する出力指示の受け付けを開始させ、出力指示を受け付けると該出力指示にて指定された医用画像データについて前記記憶部を検索させ、検索した医用画像データを出力部に出力させるプログラムを、前記可搬媒体に書き込むプログラム書込手段とを備えたことを特徴とする。
【発明の効果】
【００１２】
請求項１、４または５記載の本発明によれば、医用画像データが表示されるまでの時間を短縮することが可能になる。
【図面の簡単な説明】
【００１３】
【図１】図１は、画像表示用アプリケーションの概要を説明するための図である。
【図２】図２は、画像表示用アプリケーションを実行する医用画像表示装置の構成を示すブロック図である。
【図３】図３は、可搬媒体に記録されたデータのデータ構造を説明するための図である。
【図４】図４は、設定情報を説明するための図である。
【図５】図５は、医用画像データ一覧情報を説明するための図である。
【図６】図６は、付帯情報の複製を説明するための図である。
【図７】図７は、磁気ディスクに記憶されたデータのデータ構造を説明するための図である。
【図８】図８は、医用画像データの複製処理手順を示すフローチャートである。
【図９】図９は、医用画像データの出力処理手順を示すフローチャートである。
【図１０】図１０は、医用画像診断装置の構成を示すブロック図である。
【図１１】図１１は、医用画像処理装置の構成を示すブロック図である。
【発明を実施するための形態】
【００１４】
以下に添付図面を参照して、本発明に係る画像表示プログラム、医用画像診断装置および医用画像処理装置の実施例を詳細に説明する。なお、医用画像診断装置および医用画像処理装置は、医用画像データや画像表示プログラム（画像表示用アプリケーションとも称する）を可搬媒体に書き込む装置である。以下では、まず実施例１において、画像表示用アプリケーションを実行する汎用的な端末である医用画像表示装置を説明し、次に実施例２において、医用画像診断装置を説明し、実施例３において、医用画像処理装置を説明する。
【実施例１】
【００１５】
［画像表示用アプリケーションの概要］
まず、図１を用いて、実施例１に係る画像表示用アプリケーションの概要を説明する。図１は、画像表示用アプリケーションの概要を説明するための図である。
【００１６】
図１に示すように、可搬媒体には、設定情報と複数の医用画像データとが記録されている。設定情報とは、複数の医用画像データを閲覧する順序として医学的に意味付けされた順序が設定されたものである。また、医用画像データは、複数の医用画像診断装置によって収集されることがある。このため、可搬媒体には、例えば図１に示すように、超音波診断（UltraSonography）装置、Ｘ線ＣＴ（Computed  Tomography）装置、ＣＲ（Computed  Radiography）装置、ＭＲＩ（Magnetic  Resonance  Imaging）装置によって収集された医用画像データが記録されている。
【００１７】
この時、設定情報に、例えば図１に示すように、「モダリティ＝ＣＲ、ＣＴ、ＭＲ、ＵＳ」と設定されていたとする。この意味は、設定情報が記録されている可搬媒体と同じ可搬媒体に記録されている医用画像データを閲覧する順序としては、ＣＲ装置によって収集された医用画像データ、Ｘ線ＣＴ装置によって収集された医用画像データ、ＭＲＩ装置によって収集された医用画像データ、超音波診断装置によって収集された医用画像データの順序で閲覧することに、医学的な意味付けがなされている、という意味である。
【００１８】
このような設定情報は、例えば、患者の医用画像データが可搬媒体に書き込まれる際などに、技師や医師が、当該医用画像データの閲覧順序として医学的な意味付けのある順序を設定するなどしたものである。
【００１９】
さて、医用画像データの閲覧に用いられる端末が可搬媒体の入力を受け付けると、画像表示用アプリケーションが可搬媒体から設定情報を読み出し、読み出した設定情報に設定された順序に従って、可搬媒体に記録された複数の医用画像データを端末の記憶部に複製する。
【００２０】
例えば、画像表示用アプリケーションは、「モダリティ＝ＣＲ、ＣＴ、ＭＲ、ＵＳ」と設定された設定情報を読み出し、ＣＲ装置によって収集された医用画像データ、Ｘ線ＣＴ装置によって収集された医用画像データ、ＭＲＩ装置によって収集された医用画像データ、超音波診断装置によって収集された医用画像データの順序で複製する。
【００２１】
また、画像表示用アプリケーションは、可搬媒体に記録された医用画像データ全ての複製が終了する前に、所定の医用画像データを出力部に出力することを指示する出力指示の受け付けを開始する。
【００２２】
そして、画像表示用アプリケーションは、所定の医用画像データの出力指示を受け付けると、出力指示にて指定された医用画像データについて記憶部を検索し、検索した医用画像データを出力部に出力する。
【００２３】
例えば、ＣＲ装置によって収集された医用画像データの出力指示を受け付けると、ＣＲ装置によって収集された医用画像データについて記憶部を検索し、検索した医用画像データを出力部に出力する。
【００２４】
この時、ＣＲ装置によって収集された医用画像データの複製が終了していれば、記憶部から該当する医用画像データを検索できるはずである。ここで、設定情報に設定された順序は、複数の医用画像データを閲覧する順序として医学的に意味付けされた順序であるので、出力指示も、この設定情報と同様の順序で行われる可能性が高いと考えられる。したがって、出力指示にて指定された医用画像データの複製は、終了している可能性が高い。
【００２５】
このようなことから、実施例１に係る画像表示プログラムによれば、複数の医用画像データを閲覧する順序として医学的に意味付けされた順序に従って医用画像データの複製をバックグラウンド処理で行い、医用画像データの複製が終了する前に出力指示の受け付けを開始するので、医用画像データが表示されるまでの時間を短縮することが可能になる。
【００２６】
［画像表示用アプリケーションを実行する医用画像表示装置］
次に、図２〜図７を用いて、画像表示用アプリケーションを実行する医用画像表示装置の構成を説明する。図２は、画像表示用アプリケーションを実行する医用画像表示装置の構成を示すブロック図である。図３は、可搬媒体に記録されたデータのデータ構造を説明するための図である。図４は、設定情報を説明するための図である。図５は、医用画像データ一覧情報を説明するための図である。図６は、付帯情報の複製を説明するための図である。図７は、磁気ディスクに記憶されたデータのデータ構造を説明するための図である。
【００２７】
実施例１における可搬媒体１には、図２に示すように、画像表示用アプリケーション１ａと、設定情報１ｂと、医用画像データ一覧情報１ｃと、医用画像データ１ｄとが記録されており、例えば、図３に示すようなデータ構造となる。
【００２８】
画像表示用アプリケーション１ａは、医用画像表示装置１０のメモリ２０に格納され、医用画像表示装置１０上で動作するアプリケーションであり、同じく可搬媒体１に記録されている医用画像データ１ｄを、医用画像表示装置１０のモニタ１２上に表示するためのものである。
【００２９】
設定情報１ｂは、画像表示用アプリケーション１ａの動作を規定する設定情報を記したものであり、同じく可搬媒体１に記録されている医用画像データ１ｄを閲覧する順序として医学的に意味付けされた順序が設定されたものである。
【００３０】
例えば、設定情報１ｂは、図４に示すようなデータである。図４の（Ａ）に例示する設定情報１ｂには、ＣＲ装置によって収集された医用画像データ、Ｘ線ＣＴ装置によって収集された医用画像データ、ＭＲＩ装置によって収集された医用画像データ、超音波診断装置によって収集された医用画像データの順序で閲覧することに、医学的な意味付けがなされている。また、図４の（Ｂ）に例示する設定情報１ｂには、頭部を撮像した医用画像データから閲覧することに医学的な意味付けがなされている（例えば、頭部が原発巣であるなど）。その他、足部から、中央部から閲覧することに医学的な意味付けがなされている場合なども考えられる。また、図４の（Ｃ）に例示する設定情報１ｂには、ファイルＮｏ．の最初から順に閲覧することに医学的な意味付けがなされている。なお、医学的に意味付けされた順序は、図４の例に限られるものではない。
【００３１】
医用画像データ一覧情報１ｃは、可搬媒体１に記録されている医用画像データ１ｄのファイル情報等である。例えば、医用画像データ一覧情報１ｃは、図５に示すように、患者名や検査日などの情報や、ファイルＮｏ．とモダリティとを対応づけた情報などである。
【００３２】
医用画像データ１ｄは、医用画像診断装置によって被検体が撮像され、収集されたデータである。実施例１における医用画像データは、検査単位に存在するものとし、１つの検査内に複数のシリーズが存在するものとし、さらに、１つのシリーズ内に複数の画像が存在するものとする。このため、例えば、医用画像データ１ｄは、図３に示すように、検査単位に記録され、１つの検査内に複数のシリーズが記録され、１つのシリーズ内に複数の画像が記録されるというデータ構造となる。
【００３３】
また、図３に示すように、１つの画像内には、付帯情報と画像データ（画像のデータそのものである画素データ）とが含まれる。付帯情報は、患者情報および識別情報である。患者情報は、医用画像データ１ｄに撮像された被検体の属性情報であり、患者名や生年月日などの個人情報を含む情報である。一方、識別情報は、医用画像データを一意に識別する情報であり、例えばＤＩＣＯＭ（Digital  Imaging  and  Communications  in  Medicine）のＳＯＰインスタンスＵＩＤなどである。なお、実施例１においては、１つのシリーズ内に存在する『画像１』や『画像ｎ』といった単位で、上記したファイルＮｏ．が付与されているものとする。
【００３４】
図２に戻り、画像表示用アプリケーション１ａを実行する汎用的な端末である医用画像表示装置１０は、図２に示すように、可搬媒体読み込み装置１１と、モニタ１２と、メモリ２０と、ＣＰＵ３０と、磁気ディスク４０とが、バス１３を介して接続されている。
【００３５】
可搬媒体読み込み装置１１に可搬媒体１が入力されると、医用画像表示装置１０は、可搬媒体１に記録された画像表示用アプリケーション１ａをメモリ２０に読み込み、図２に示すように、設定情報読出プログラム２１、医用画像データ複製プログラム２２、出力指示受付プログラム２３、および出力プログラム２４として格納する。これらのプログラムは、ＣＰＵ３０にて、設定情報読出プロセス３１、医用画像データ複製プロセス３２、出力指示受付プロセス３３、および出力プロセス３４となり、医用画像表示装置１０上で動作する。これらのプログラムが医用画像表示装置１０上で動作する結果、磁気ディスク４０には、可搬媒体１に記録された医用画像データ１ｄが複製されて格納され、また、磁気ディスク４０に格納された医用画像データ１ｄがモニタ１２に出力される。
【００３６】
設定情報読出プログラム２１は、設定情報１ｂを可搬媒体１から読み出す。
【００３７】
医用画像データ複製プログラム２２は、設定情報読出プログラム２１によって読み出された設定情報１ｂに設定された順序に従って、可搬媒体１に記録された複数の医用画像データ１ｄを磁気ディスク４０に複製する。
【００３８】
例えば、設定情報１ｂが図４の（Ａ）に例示する設定情報１ｂである場合には、医用画像データ複製プログラム２２は、例えば可搬媒体１に記録されている医用画像データ一覧情報１ｃを参照し、モダリティが「ＣＲ」、「ＣＴ」、「ＭＲ」、「ＵＳ」の順序となるようにファイルＮｏ．を抽出する。該当するモダリティが無い場合には、そのモダリティを除外した順序でファイルＮｏ．を抽出すればよい。そして、医用画像データ複製プログラム２２は、抽出したファイルＮｏ．の順序に従って、可搬媒体１に記録された医用画像データ１ｄを磁気ディスク４０に複製する。
【００３９】
この時、実施例１における医用画像データ複製プログラム２２は、図６の（Ａ）に示すように、医用画像データ１ｄに含まれる患者情報を除くデータのみを磁気ディスク４０に複製する。すなわち、医用画像データ複製プログラム２２は、識別情報および画像データを磁気ディスク４０に複製するので、磁気ディスク４０に記憶されたデータのデータ構造は、図７のようになる。
【００４０】
なお、設定情報１ｂが図４の（Ｂ）に例示する設定情報１ｂである場合には、医用画像データ複製プログラム２２は、例えば医用画像データ１ｄに含まれている付帯情報を一つ一つ参照して部位情報を取得し、部位情報『頭部』を取得した医用画像データ１ｄから順に磁気ディスク４０に複製すればよい。また、設定情報１ｂが図４の（Ｃ）に例示する設定情報１ｂである場合には、医用画像データ複製プログラム２２は、例えば可搬媒体１に記録されている医用画像データ一覧情報１ｃを参照し、ファイルＮｏ．の最初が『００１』であることを取得し、ファイルＮｏ．『００１』から順に磁気ディスク４０に複製すればよい。
【００４１】
出力指示受付プログラム２３は、医用画像データ複製プログラム２２による複製が終了する前に、所定の医用画像データをモニタ１２に出力することを指示する出力指示の受け付けを開始する。言い換えると、医用画像データ複製プログラム２２による複製は、バックグラウンド処理で行われる。
【００４２】
例えば、出力指示受付プログラム２３は、可搬媒体１に記録されている医用画像データ一覧情報１ｃをモニタ１２に出力し、ファイルＮｏ．の選択を受け付けることで、出力指示を受け付ける。
【００４３】
出力プログラム２４は、出力指示受付プログラム２３によって出力指示を受け付けると、出力指示にて指定された医用画像データ１ｄについて磁気ディスク４０を優先的に検索し、検索した医用画像データ１ｄをモニタ１２に出力する。例えば、出力プログラム２４は、選択を受け付けたファイルＮｏ．を用いて磁気ディスク４０を検索する。
【００４４】
この時、実施例１における出力プログラム２４は、図６の（Ｂ）に示すように、検索した医用画像データ１ｄに含まれる識別情報を用いて可搬媒体１を検索し、該識別情報に対応付けて記憶されている患者情報を、磁気ディスク４０から検索された医用画像データ１ｄとともにモニタ１２に出力する。あるいは、いわゆる付帯情報としての識別情報ではなくファイルＮｏ．を用いて可搬媒体１を検索し、該ファイルＮｏ．のデータとして記録されている患者情報を、磁気ディスク４０から検索された医用画像データ１ｄとともにモニタ１２に出力してもよい。
【００４５】
［画像表示用アプリケーションによる処理手順］
続いて、図８および図９を用いて、画像表示用アプリケーションによる処理手順を説明する。図８は、医用画像データの複製処理手順を示すフローチャートである。図９は、医用画像データの出力処理手順を示すフローチャートである。
【００４６】
まず、図８に示すように、医用画像表示装置１０は、可搬媒体読み込み装置１１に可搬媒体１が入力されると、可搬媒体１に記録された画像表示用アプリケーション１ａをメモリ２０に読み込み、読みこんだタイミングで（もしくは利用者によって指定されたタイミングなどで）、画像表示用アプリケーション１ａを起動する（ステップＳ１０１）。
【００４７】
すると、まず、設定情報読出プログラム２１が、設定情報１ｂを可搬媒体１から読み出す（ステップＳ１０２）。
【００４８】
そして、医用画像データ複製プログラム２２が、設定情報読出プログラム２１によって読み出された設定情報１ｂに設定された順序に従って、複数の医用画像データ１ｄの磁気ディスク４０への複製を開始する（ステップＳ１０３）。例えば、設定情報１ｂが図４の（Ａ）に例示する設定情報１ｂである場合には、医用画像データ複製プログラム２２は、例えば可搬媒体１に記録されている医用画像データ一覧情報１ｃを参照し、モダリティが「ＣＲ」、「ＣＴ」、「ＭＲ」、「ＵＳ」の順序となるようにファイルＮｏ．を抽出し、抽出したファイルＮｏ．の順序に従って、可搬媒体１に記録された医用画像データ１ｄを磁気ディスク４０に複製する。
【００４９】
医用画像データ複製プログラム２２は、複製の候補となるファイルＮｏ．を一つ選択し、磁気ディスク４０に既に記憶されているファイルであるか否かを判定する（ステップＳ１０４）。磁気ディスク４０に既に記憶されているファイルである場合には（ステップＳ１０４肯定）、医用画像データ複製プログラム２２は、ステップＳ１０３の処理に戻り、次候補の複製に移行する。
【００５０】
一方、磁気ディスク４０に既に記憶されているファイルでない場合には（ステップＳ１０４否定）、医用画像データ複製プログラム２２は、医用画像データ１ｄに含まれる患者情報を除くデータのみをメモリ２０に格納し（ステップＳ１０５）、メモリ２０に格納したデータを磁気ディスク４０に格納する（ステップＳ１０６）。
【００５１】
そして、医用画像データ複製プログラム２２は、可搬媒体１に記録されている全ての医用画像データ１ｄが磁気ディスク４０上に存在するか否かを判定し（ステップＳ１０７）、全ての複製が完了している場合には（ステップＳ１０７肯定）、処理を終了する。一方、全ての複製が完了していない場合には（ステップＳ１０７否定）、医用画像データ複製プログラム２２は、ステップＳ１０３の処理に戻り、次候補の複製に移行する。
【００５２】
ところで、図９に示すように、出力指示受付プログラム２３は、医用画像データ複製プログラム２２による複製が開始されたか否かを判定している（ステップＳ２０１）。複製が開始されていないと判定した場合には（ステップＳ２０１否定）、出力指示受付プログラム２３は、医用画像データ複製プログラム２２による複製が開始されたか否かを判定する処理に戻る。
【００５３】
一方、複製が開始されたと判定した場合には（ステップＳ２０１肯定）、出力指示受付プログラム２３は、画像表示指示の受付を開始する（ステップＳ２０２）。例えば、出力指示受付プログラム２３は、可搬媒体１に記録されている医用画像データ一覧情報１ｃをモニタ１２に出力し、ファイルＮｏ．の選択受付を開始する。
【００５４】
そして、出力プログラム２４が、出力指示受付プログラム２３によって画像表示指示を受け付けたか否かを判定しており（ステップＳ２０３）、受け付けたと判定した場合には（ステップＳ２０３肯定）、選択を受け付けたファイルＮｏ．を用いて磁気ディスク４０を検索する（ステップＳ２０４）。
【００５５】
出力プログラム２４は、磁気ディスク４０を検索した結果、検索できた場合には（ステップＳ２０４肯定）、検索した医用画像データ１ｄに含まれる識別情報を用いて可搬媒体１を検索し、該識別情報に対応付けて記憶されている患者情報をメモリ２０に読み込む（ステップＳ２０５）。
【００５６】
続いて、出力プログラム２４は、磁気ディスク４０から検索結果の画像データをメモリ２０に読み込み（ステップＳ２０６）、ステップＳ２０５においてメモリ２０に読み込んだ患者情報と、ステップＳ２０６においてメモリ２０に読み込んだ画像データとを、メモリ２０上で結合する（ステップＳ２０７）。
【００５７】
一方、ステップＳ２０４において、磁気ディスク４０を検索した結果、検索できなかった場合には（ステップＳ２０４否定）、出力プログラム２４は、可搬媒体１から該当する医用画像データを読み込む（ステップＳ２０８）。
【００５８】
その後、出力プログラム２４は、医用画像データをモニタ１２に表示する（ステップＳ２０９）。
【００５９】
［実施例１の効果］
上記してきたように、実施例１における画像表示用アプリケーション１ａは、複数の医用画像データを閲覧する順序として医学的に意味付けされた順序が設定された設定情報１ｂを、複数の医用画像データ１ｄと該設定情報１ｂとが記憶された可搬媒体１から読み出す。そして、画像表示用アプリケーション１ａは、読み出した設定情報１ｂに設定された順序に従って、可搬媒体１に記憶された複数の医用画像データ１ｄを該医用画像データ１ｄの閲覧に用いられる医用画像表示装置１０の磁気ディスク４０に複製する。また、画像表示用アプリケーション１ａは、複製が終了する前に、所定の医用画像データ１ｄをモニタ１２に出力することを指示する出力指示の受け付けを開始する。そして、画像表示用アプリケーション１ａは、所定の医用画像データ１ｄの出力指示を受け付けると、該出力指示にて指定された医用画像データ１ｄについて磁気ディスク４０を検索し、検索した医用画像データ１ｄをモニタ１２に出力する。
【００６０】
このようなことから、実施例１における画像表示用アプリケーション１ａによれば、複数の医用画像データを閲覧する順序として医学的に意味付けされた順序に従って医用画像データの複製をバックグラウンド処理で行い、医用画像データの複製が終了する前に出力指示の受け付けを開始するので、医用画像データが表示されるまでの時間を短縮することが可能になる。
【００６１】
また、医用画像データ１ｄには、該医用画像データ１ｄに撮像された被検体の患者情報が含まれるものであって、画像表示用アプリケーション１ａは、医用画像データ１ｄに含まれる患者情報を除くデータのみを磁気ディスク４０に複製する。このようなことから、実施例１における画像表示用アプリケーション１ａによれば、患者情報を不用意に複製することなく、セキュリティを確保することも可能になる。
【００６２】
また、医用画像データ１ｄには、該医用画像データ１ｄに撮像された被検体の患者情報と該医用画像データ１ｄを一意に識別する識別情報とが含まれるものであって、画像表示用アプリケーション１ａは、医用画像データ１ｄに含まれる患者情報を除くデータのみを磁気ディスク４０に複製する。そして、画像表示用アプリケーション１ａは、出力指示にて指定された医用画像データ１ｄについて磁気ディスク４０を検索するとともに、検索した医用画像データ１ｄに含まれる識別情報を用いて可搬媒体１を検索する。続いて、画像表示用アプリケーション１ａは、識別情報に対応付けて記憶されている患者情報を、磁気ディスク４０から検索された医用画像データ１ｄとともにモニタ１２に出力する。
【００６３】
このようなことから、実施例１における画像表示用アプリケーション１ａによれば、患者情報を不用意に複製することなくセキュリティを確保することができるばかりでなく、表示の際には、患者情報を表示することが可能になる。
【実施例２】
【００６４】
さて、実施例１においては、画像表示用アプリケーションを説明してきたが、実施例２においては、画像表示用アプリケーションを可搬媒体に書き込む医用画像診断装置を説明する。図１０は、医用画像診断装置の構成を示すブロック図である。
【００６５】
実施例２に係る医用画像診断装置は、例えば、ＣＲ（Computed  Radiography）装置、Ｘ線ＣＴ（Computed  Tomography）装置、ＭＲＩ（Magnetic  Resonance  Imaging）装置、超音波診断装置などである。
【００６６】
医用画像診断装置５０は、例えば、図１０に示すように、医用画像データ撮像部５１と、可搬媒体読み込み部５２と、制御部５３とを備える。制御部５３は、医用画像データ書込部５４と、設定情報書込部５５と、画像表示用アプリケーション書込部５６とを備える。
【００６７】
医用画像データ撮像部５１は、医用画像データを撮像する。可搬媒体読み込み部５２は、可搬媒体を読み込む。
【００６８】
医用画像データ書込部５４は、医用画像データを可搬媒体に書き込む。具体的には、医用画像データ書込部５４は、医用画像データ撮像部５１によって撮像された医用画像データを、可搬媒体読み込み部５２によって読み込まれた可搬媒体に書き込む。
【００６９】
設定情報書込部５５は、複数の医用画像データを閲覧する順序として医学的に意味付けされた順序が設定された設定情報を、可搬媒体に書き込む。具体的には、設定情報書込部５５は、例えば技師や医師によって設定された設定情報を、可搬媒体読み込み部５２によって読み込まれた可搬媒体に書き込む。
【００７０】
画像表示用アプリケーション書込部５６は、実施例１において説明した画像表示用アプリケーション１ａと同様の機能を有する画像表示用アプリケーションを、可搬媒体に書き込む。具体的には、画像表示用アプリケーション書込部５６は、コンピュータに、設定情報を可搬媒体から読み出させ、該設定情報に設定された順序に従って可搬媒体に記憶された複数の医用画像データを該医用画像データの閲覧に用いられる端末の記憶部に複製させ、複製が終了する前に所定の医用画像データを出力部に出力することを指示する出力指示の受け付けを開始させ、出力指示を受け付けると該出力指示にて指定された医用画像データについて記憶部を検索させ、検索した医用画像データを出力部に出力させるプログラムを、可搬媒体読み込み部５２によって読み込まれた可搬媒体に書き込む。
【００７１】
このようなことから、実施例２に係る医用画像診断装置によれば、医用画像データが表示されるまでの時間を短縮することを実現する画像表示用アプリケーションや、設定情報や医用画像データが書き込まれた可搬媒体を作成することが可能になる。
【実施例３】
【００７２】
さて、実施例２においては、画像表示用アプリケーションを可搬媒体に書き込む医用画像診断装置を説明してきたが、実施例３においては、画像表示用アプリケーションを可搬媒体に書き込む医用画像処理装置を説明する。図１１は、医用画像処理装置の構成を示すブロック図である。
【００７３】
実施例３に係る医用画像処理装置は、例えば、ＣＲ装置、Ｘ線ＣＴ装置、ＭＲＩ装置、超音波診断装置などの診断装置とネットワークを介して接続された画像表示システム（ＰＡＣＳ（Picture  Archiving  and  Communication  System）など）の端末である。
【００７４】
医用画像処理装置６０は、例えば、図１１に示すように、通信部６１と、可搬媒体読み込み部６２と、制御部６３とを備える。制御部６３は、医用画像データ書込部６４と、設定情報書込部６５と、画像表示用アプリケーション書込部６６とを備える。
【００７５】
通信部６１は、ネットワークを介して接続された診断装置などから医用画像データを取得する。可搬媒体読み込み部６２は、可搬媒体を読み込む。
【００７６】
医用画像データ書込部６４は、医用画像データを可搬媒体に書き込む。具体的には、医用画像データ書込部６４は、通信部６１によって取得された医用画像データを、可搬媒体読み込み部６２によって読み込まれた可搬媒体に書き込む。
【００７７】
設定情報書込部６５は、複数の医用画像データを閲覧する順序として医学的に意味付けされた順序が設定された設定情報を、可搬媒体に書き込む。具体的には、設定情報書込部６５は、例えば技師や医師によって設定された設定情報を、可搬媒体読み込み部６２によって読み込まれた可搬媒体に書き込む。
【００７８】
画像表示用アプリケーション書込部６６は、実施例１において説明した画像表示用アプリケーション１ａと同様の機能を有する画像表示用アプリケーションを、可搬媒体に書き込む。具体的には、画像表示用アプリケーション書込部６６は、コンピュータに、設定情報を可搬媒体から読み出させ、該設定情報に設定された順序に従って可搬媒体に記憶された複数の医用画像データを該医用画像データの閲覧に用いられる端末の記憶部に複製させ、複製が終了する前に所定の医用画像データを出力部に出力することを指示する出力指示の受け付けを開始させ、出力指示を受け付けると該出力指示にて指定された医用画像データについて記憶部を検索させ、検索した医用画像データを出力部に出力させるプログラムを、可搬媒体読み込み部６２によって読み込まれた可搬媒体に書き込む。
【００７９】
このようなことから、実施例３に係る医用画像処理装置によれば、医用画像データが表示されるまでの時間を短縮することを実現する画像表示用アプリケーションや、設定情報や医用画像データが書き込まれた可搬媒体を作成することが可能になる。
【実施例４】
【００８０】
［他の実施例］
さて、これまで本発明の実施例１〜３について説明してきたが、本発明は上記した実施例以外にも、種々の異なる形態にて実施されてよいものである。
【００８１】
実施例１では、画像表示用アプリケーションが、医用画像データや設定情報とともに可搬媒体に格納される事例を説明したが、本発明はこれに限られるものではない。画像表示用アプリケーションは、例えば、医用画像データの閲覧に用いられる端末に予めインストールされていてもよい。また、設定情報が端末に記憶されている場合にも、本発明を同様に適用することができる。可搬媒体に記憶されている医用画像データの閲覧順序を事後的に設定したい場合などに有効である。
【００８２】
また、実施例１では、画像表示用アプリケーションが医用画像データを複製する際に、患者情報を除くデータのみを複製する手法を説明したが、本発明はこれに限られるものではない。患者情報が複製されることに特に問題がない場合などには、医用画像データとともに患者情報を複製してもよい。
【００８３】
また、実施例１では、画像表示用アプリケーションが、医用画像データの複製が開始されると同時に出力指示の受付を開始する例を説明したが、本発明はこれに限られるものではなく、例えば、所定時間経過後に出力指示の受付を開始するなどしてもよい。
【００８４】
なお、本実施例において図示した各装置の各構成要素は機能概念的なものであり、必ずしも物理的に図示（例えば、図２、図１０、図１１など）のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【００８５】
以上のように、本発明に係る画像表示プログラム、医用画像診断装置および医用画像処理装置は、医用画像データを表示することに有用であり、特に、医用画像データが表示されるまでの時間を短縮することに適している。
【符号の説明】
【００８６】
１  可搬媒体
１ａ  画像表示用アプリケーション
１ｂ  設定情報
１ｃ  医用画像データ一覧情報
１ｄ  医用画像データ
１０  医用画像表示装置
１１  可搬媒体読み込み装置
１２  モニタ
１３  バス
２０  メモリ
２１  設定情報読出プログラム
２２  医用画像データ複製プログラム
２３  出力指示受付プログラム
２４  出力プログラム
３０  ＣＰＵ
３１  設定情報読出プロセス
３２  医用画像データ複製プロセス
３３  出力指示受付プロセス
３４  出力プロセス
４０  磁気ディスク
５０  医用画像診断装置
５１  医用画像データ撮像部
５２  可搬媒体読み込み部
５３  制御部
５４  医用画像データ書込部
５５  設定情報書込部
５６  画像表示用アプリケーション書込部
６０  医用画像処理装置
６１  通信部
６２  可搬媒体読み込み部
６３  制御部
６４  医用画像データ書込部
６５  設定情報書込部
６６  画像表示用アプリケーション書込部
【図１】
2010170274.tif 000003
【図２】
2010170274.tif 000004
【図３】
2010170274.tif 000005
【図４】
2010170274.tif 000006
【図５】
2010170274.tif 000007
【図６】
2010170274.tif 000008
【図７】
2010170274.tif 000009
【図８】
2010170274.tif 000010
【図９】
2010170274.tif 000011
【図１０】
2010170274.tif 000012
【図１１】
2010170274.tif 000013